(57)【特許請求の範囲】
【請求項１】
番組情報を記憶する番組情報記憶部と、
前記番組情報記憶部が記憶した番組情報のなかから、所定の番組の録画の指示を入力する予約情報入力部と、
前記予約情報入力部が入力した録画の指示に基づいて、その指示された番組が既に放送された番組である場合、その既に放送された番組が再放送されるとき、その番組が録画されるように制御する録画制御部とを
備えたことを特徴とする録画制御装置。
【請求項２】
前記既に放送された番組が再放送されるように、その番組の再放送リクエストを放送局に送信するリクエスト送信部をさらに備えたことを特徴とする請求項１記載の録画制御装置。
【請求項３】
請求項２記載の録画制御装置のリクエスト送信部からの前記番組の再放送リクエストを利用して、放送する番組を決定することを特徴とする放送局。
【請求項４】
再放送番組を放送するために割り当てられているスロットの利用時間数と、前記再放送リクエストの到着状況とに基づいて、再放送する番組を決定することを特徴とする請求項３記載の放送局。
【請求項５】
少なくとも前記再放送する番組の番組情報を、ＦＭ文字多重放送、テレビ信号の垂直帰線消去区間、前記再放送する番組以外の番組の番組情報を伝送するチャンネルとは論理的に異なる、衛星放送を利用するデータ放送のデータチャンネルのうちのいずれかを利用して送信することを特徴とする請求項４記載の放送局。
【請求項６】
少なくとも前記再放送する番組の番組情報を、ＦＭ文字多重放送、衛星放送または公衆電話回線網のうちのいずれかを利用して、前記再放送リクエストを送信した録画制御装置を指定して送信することを特徴とする請求項４記載の放送局。
【請求項７】
前記再放送する番組の元番組を特定するための情報を付加して、前記再放送する番組の番組情報を送信することを特徴とする請求項５または６記載の放送局。
【請求項８】
請求項７記載の放送局からの、前記再放送される番組の元番組を特定するための情報が付加された前記番組情報を利用して、前記再放送される番組が既に放送された番組のうちのいずれであるのかを判定する再放送判定部をさらに備えたことを特徴とする請求項１または２記載の録画制御装置。
【請求項９】
請求項１、２、８のいずれかに記載の録画制御装置と、請求項３から７のいずれかに記載の放送局とを備えたことを特徴とする放送・受信システム。
【請求項１０】
請求項１、２、８のいずれかに記載の録画制御装置の各構成部の全部または一部の各機能を実現するためのプログラムを格納したことを特徴とする媒体。
【請求項１１】
請求項３から７のいずれかに記載の放送局の全部または一部の各機能を実現するためのプログラムを格納したことを特徴とする媒体。
【発明の詳細な説明】
【０００１】
【発明の属する技術分野】
本発明は、テレビ番組の録画を制御する録画制御装置と、テレビ番組およびそのテレビ番組の番組情報を送信する放送局とに関するものである。
【０００２】
【従来の技術】
テレビ番組の多チャンネル化、ユーザの嗜好の多様化などにより、視聴可能な番組数が増え、多くの番組の中から見たい番組を選択する作業はユーザにとって容易ではなくなってきた。そこで、ユーザが簡単な操作で見たい番組や、録画したい番組を選択できるよう支援する電子番組ガイド（ＥＰＧ）が利用されるようになってきた。ユーザは、ＥＰＧを使って、これから放送される番組の情報をモニタに表示させ、表示された番組情報の中からリモコン等で視聴や録画したい番組を選択するだけでよい。そして、実際の選局や録画予約作業などは自動的に行われる。このようなＥＰＧを利用する技術は、特に有料放送（ＰＰＶ：ペイ・パー・ビュー）では、不可欠な技術である。
【０００３】
以下に、このような従来の録画制御装置および放送局から構成される放送・受信システムの構成を、その動作とともに図１３を参照して説明する。図１３は従来の放送・受信システムのブロック図である。なお、点線で囲まれている部分が録画制御装置である。
【０００４】
まず、録画制御装置では、ＥＰＧ１３０５が、放送局１３０１から放送される番組情報を、入力部１３０３を介して入力し、番組情報記憶部１３０４に記憶させる。その後、ＥＰＧ１３０５は、ユーザから指示があれば、番組情報記憶部１３０４に記憶されている番組情報を表示制御部１３０６を用いてモニタに表示させる。番組情報は、すでに視聴または録画予約された番組が識別できるように表示される。そして、ユーザは、表示された番組情報を見て、録画したい番組があれば、リモコン等でその番組を選択する。
【０００５】
ユーザによって選択された番組は予約情報入力部１３０２を介してＥＰＧ１３０５に入力され、ＥＰＧ１３０５はその番組の予約情報を作成する。作成された予約情報は予約情報管理部１３０７に送られ、予約情報記憶部１３０８に記憶される。
【０００６】
図１４に予約情報記憶部１３０８に記憶される予約情報の例を示す。予約情報は、予約番号、日付、チャンネル、番組名、録画開始時間、録画終了時間、録画状況などで構成される。
【０００７】
予約情報管理部１３０７は、ユーザから指示があれば、予約情報記憶部１３０８に記憶されている予約情報を表示制御部１３０６によってモニタに表示させる。その予約情報は、録画済番組が識別できるように表示される。
【０００８】
そして、予約情報管理部１３０７は、予約情報記憶部１３０８に記憶されている予約情報の中で現在時刻以降で最も現在時刻に近い録画開始時間を持つ予約情報を取り出し、その予約情報の番組が映像記憶部１３０９の記録媒体に録画されるように録画制御を行う。
【０００９】
なお、入力部１３０３は、放送局１３０１からの番組情報とともに、番組も入力し、番組情報をＥＰＧ１３０５に出力し、番組を映像記憶部１３０９に出力する。
【００１０】
【発明が解決しようとする課題】
しかしながら、上述した従来の放送・受信システムでは、現在時刻以降の番組しか録画予約できない。
【００１１】
つまり、録画制御装置では、通常は現在時刻以降の番組の予約を行うので問題はないが、ユーザが録画予約することを忘れていたり、録画を失敗した番組に関しては、再放送が行なわれた時に再度予約録画する必要がある。
【００１２】
しかし、本放送が終わってから所望の番組が再放送されるまでの期間は特に決まってないため、ユーザは、実際に所望の番組が再放送される日時等を常にチェックし、再放送があることが分かれば、再度録画予約を行わなければならないし、再放送があることを知らなかった場合は再度見逃すことになる。
【００１３】
また、ユーザにとっては、視聴または録画予約をし忘れた番組についてや、録画予約した番組であっても、または、リアルタイムでユーザによる録画制御した番組であっても、録画を失敗した番組については、再放送があるまで視聴または録画できないという問題が生じる。
【００１４】
また、番組情報だけでは、番組がどの番組の再放送であるのかを特定できないため、再放送を自動的に判別するのは困難である。
【００１５】
他方、放送局側にとっては、ユーザの好みが多様化していることから、ユーザがどんな番組を要望しているのか、ユーザのニーズを把握できてない場合があり、ユーザのニーズに即した番組の選定が難しくなってきている。
【００１６】
本発明は、このように従来の放送・受信システムでは、録画を失敗した番組については、再放送時に再度録画予約作業を行わなければならないという課題を考慮し、録画を失敗した番組であっても、その番組が再放送されるさいに、あらためてユーザからの録画予約指示を入力することなく、その番組が録画されるように制御する録画制御装置を提供することを目的とするものである。
【００１７】
また、本発明は、従来の放送・受信システムでは、ユーザが視聴または録画予約を忘れた番組については、再放送されるまで視聴または録画できないという課題を考慮し、録画予約されていない番組であっても録画されるように制御する録画制御装置を提供することを目的とするものである。
【００１８】
また、本発明は、従来の放送・受信システムでは、再放送される番組の元番組を自動的に判別するのは難しいという課題を考慮し、再放送される番組の元番組が自動的に判別されるための情報を送信する放送局と、その情報を利用して再放送される番組の元番組を自動的に判別する録画制御装置とを提供することを目的とするものである。
【００１９】
さらに、本発明は、従来の放送・受信システムでは、放送局はユーザのニーズを把握しきれていないという課題を考慮し、ユーザのニーズを把握しそれを参考にして放送する番組を決定する放送局を提供することを目的とするものである。
【００２０】
【課題を解決するための手段】
第１の本発明は、番組情報を記憶する番組情報記憶部と、
前記番組情報記憶部が記憶した番組情報のなかから、所定の番組の録画の指示を入力する予約情報入力部と、
前記予約情報入力部が入力した録画の指示に基づいて、その指示された番組が既に放送された番組である場合、その既に放送された番組が再放送されるとき、その番組が録画されるように制御する録画制御部とを
備えたことを特徴とする録画制御装置である。
【００２１】
第２の本発明は、前記既に放送された番組が再放送されるように、その番組の再放送リクエストを放送局に送信するリクエスト送信部をさらに備えたことを特徴とする第１の本発明の録画制御装置である。
【００２２】
第３の本発明は、第２の本発明の録画制御装置のリクエスト送信部からの前記番組の再放送リクエストを利用して、放送する番組を決定することを特徴とする放送局である。
【００２３】
第４の本発明は、再放送番組を放送するために割り当てられているスロットの利用時間数と、前記再放送リクエストの到着状況とに基づいて、再放送する番組を決定することを特徴とする第３の本発明の放送局である。
【００２４】
第５の本発明は、少なくとも前記再放送する番組の番組情報を、ＦＭ文字多重放送、テレビ信号の垂直帰線消去区間、前記再放送する番組以外の番組の番組情報を伝送するチャンネルとは論理的に異なる、衛星放送を利用するデータ放送のデータチャンネルのうちのいずれかを利用して送信することを特徴とする第４の本発明の放送局である。
【００２５】
第６の本発明は、少なくとも前記再放送する番組の番組情報を、ＦＭ文字多重放送、衛星放送または公衆電話回線網のうちのいずれかを利用して、前記再放送リクエストを送信した録画制御装置を指定して送信することを特徴とする第４の本発明の放送局である。
【００２６】
第７の本発明は、前記再放送する番組の元番組を特定するための情報を付加して、前記再放送する番組の番組情報を送信することを特徴とする第５または第６の本発明の放送局である。
【００２７】
第８の本発明は、第７の本発明の放送局からの、前記再放送される番組の元番組を特定するための情報が付加された前記番組情報を利用して、前記再放送される番組が既に放送された番組のうちのいずれであるのかを判定する再放送判定部をさらに備えたことを特徴とする第１または第２の本発明の録画制御装置である。
【００２８】
第９の本発明は、第１、第２、第８のいずれかの本発明の録画制御装置と、第３から第７のいずれかの本発明の放送局とを備えたことを特徴とする放送・受信システムである。
【００２９】
第１０の本発明は、第１、第２、第８のいずれかの本発明の録画制御装置の各構成部の全部または一部の各機能を実現するためのプログラムを格納したことを特徴とする媒体である。
【００３０】
第１１の本発明は、第３から第７のいずれかに記載の放送局の全部または一部の各機能を実現するためのプログラムを格納したことを特徴とする媒体である。
【００３５】
【発明の実施の形態】
以下に、本発明の実施の形態を図面を参照して説明する。
【００３６】
（実施の形態１）
本発明の実施の形態１の放送・受信システムの構成をその動作とともに述べる。
【００３７】
図１に、本発明の実施の形態１の放送・受信システムのブロック図を示す。図１に示すように、本発明の実施の形態１の放送・受信システムは、録画制御装置１１３と放送局１０１から構成される。その図１において、点線で囲まれている録画制御装置１１３のなかの、１０２は予約情報入力部、１０３は入力部、１０４は番組情報記憶部、１０５はＥＰＧ、１０６は表示制御部、１０７は再放送予約管理部、１０８は第１録画制御部、１０９は予約情報記憶部、１１０は再放送判定部、１１１は第２録画制御部、１１２は映像記憶部である。
【００３８】
放送局１０１は、番組を放送するとともに、その番組の番組情報を放送するものであり、録画制御装置１１３の入力部１０３は、放送局１０１からの番組を受信するとともに、その番組の番組情報を受信するものであって、番組を映像記憶部１１２に出力し、番組情報をＥＰＧ１０５に出力するものである。
【００３９】
本発明の実施の形態１の放送・受信システムの動作は、録画予約に関するものと、録画に関するものの２つの動作があるので、それらを順に述べることにする。
【００４０】
はじめに、録画予約動作について説明する。
【００４１】
まず、録画制御装置１１３のＥＰＧ（電子番組情報ガイド）１０５は、放送局１０１からのＴＶ信号の垂直帰線消去期間を利用して送信されてくる番組情報を、入力部１０３を介して入力し、番組情報記憶部１０４に記憶させる。
【００４２】
その後、ユーザから指示があると、ＥＰＧ１０５は、番組情報記憶部１０４に記憶させた番組情報を、表示制御部１０６にモニタへ表示させる。その番組情報には、現在時刻よりも前に放送された番組の情報が含まれていてもよい。つまり、未来に放送される番組の情報とともに、過去に放送された番組の情報が含まれていてもよいということである。
【００４３】
そして、ユーザは、モニタに表示された番組情報を見て、録画したい番組をリモコン等を用いて予約情報入力部１０２に指定する。なお、ユーザは、これから放送される番組だけでなく、すでに放送が終了している番組も指定することができるものとする。そして、ＥＰＧ１０５は、ユーザに指定された番組を予約情報入力部１０２から入力するとともに、その番組の番組情報を番組情報記憶部１０４から取り出し、番組の予約情報を作成する。
【００４４】
この時、入力された番組がすでに放送済みの番組である場合、ＥＰＧ１０５は、その番組が再放送される時に録画を行うことを示す再放送時録画マークを予約情報に付加して、再放送予約管理部１０７に出力する。それに対して、入力された番組が現在時刻以降に放送される番組である場合、ＥＰＧ１０５は予約情報をそのまま第１録画制御部１０８に出力する。そして、再放送予約管理部１０７および第１録画制御部１０８は、入力された予約情報を予約情報記憶部１０９に記憶させる。
【００４５】
図２に、予約情報記憶部１０９が記憶する予約情報の例を示す。予約情報は、予約番号、日付、チャンネル、番組名、録画開始時刻、録画終了時刻、再放送時録画マークなどで構成される。また、予約情報には、録画状況も含まれ、予約情報記憶部１０９は、ユーザが予約した番組の録画状況を管理する。その録画状況とは、録画予約された番組が未録画、録画中、録画済み、エラーのいずれの状況であるのかということを示すものであり、それぞれに対して、未、録画中、済、エラー、それぞれが表示される。エラーとは、何らかの理由で録画することができなかったことを示し、エラーの場合には、その理由も同時に管理される。エラーの理由の一例として、ビデオテープ未挿入や残量不足というようなものがある。なお、ここまで述べたところでは、いくつかの番組が録画予約された後であって、それらがまだ放送されていないので、録画状況の欄には「未録画」を示すマークが書き込まれる。その後、録画予約された番組が放送されると、対応する番組の録画状況の欄に、「録画中」、「録画済」または「エラー」を示すマークが書き込まれることになる。また、図２に示した予約情報は１９９８年１１月３０日に作成されたものであるとする。
【００４６】
次に、録画動作を説明する。
【００４７】
その録画動作は、録画予約されている番組を、第１録画制御部１０８の制御によって録画する場合と、番組の放送中にユーザがマニュアル制御して録画を行う場合が考えられるので、以下順に両者を説明する。
【００４８】
まず、第１録画制御部１０８の制御によって録画する場合を説明する。
【００４９】
第１録画制御部１０８は、予約情報記憶部１０９に記憶されている予約情報の中から、現在時刻以降であって、現在時刻に最も近い予約情報を取り出し、取り出した予約情報に従って、その予約情報に対応する番組が映像記憶部１１２の記録媒体に録画されるように制御を行う。
【００５０】
つまり、第１録画制御部１０８は、予約情報に基づいて、録画開始時刻の例えば５秒前に、録画開始コマンドを映像記憶部１１２に出力し、映像記憶部１１２は第１録画制御部１０８からの指示に基づいて記録媒体に録画を開始する。同様にして、第１録画制御部１０８は、予約情報に基づいて、録画終了時刻の例えば５秒前に、録画終了コマンドを映像記憶部１１２に出力し、映像記憶部１１２は第１録画制御部１０８からの指示に基づいて録画を終了する。このようにして、例えば１９９８年の１２月１日になると、第１録画制御部１０８は、図２の予約番号１の番組が録画されるように制御する。
【００５１】
録画が終了すると、第１録画制御部１０８は、映像記憶部１１２に、番組の録画状況を調べさせる。そして、第１録画制御部１０８は、記録媒体の記憶容量不足などで録画が中断したという報告を映像記憶部１１２から受けると、予約情報記憶部１０９に記憶されているその番組の予約情報に、再放送時録画マークと録画できている部分の情報を付加する。その情報とは、録画できている部分を特定するための情報であって、録画できている部分の録画開始時刻、録画終了時刻などで構成される。また、この場合の予約情報の録画状況の欄にはエラーが書き込まれる。それに対して、第１録画制御部１０８は、録画が正常に行われたという旨の報告を映像記憶部１１２から受けると、予約情報記憶部１０９に記憶されているその番組の予約情報に、「録画済」というマークを付加する。
【００５２】
図３に、この場合の予約情報の一例を示す。予約情報は、予約番号、日付、チャンネル、番組名、録画開始時刻、録画終了時刻、再放送時録画マークなどで構成される。図３に示すように、予約番号３の予約情報には、録画状況としてエラー、実際に録画を行った録画開始時刻、終了時刻、再放送マークが付けられている。なお、図３に示した予約情報は１９９８年１２月５日の２２：５４に作成されたものであるとし、上述したように、予約番号３の番組については、録画するさいにエラーがあったが、予約番号１の番組については、エラーなく録画されたものとする。
【００５３】
次に、番組の放送中にユーザがマニュアル制御して録画を行う場合を説明する。
【００５４】
番組の放送中に、ユーザがマニュアルで映像記憶部１１２の記録媒体への録画開始の制御を行うと、第１録画制御部１０８は、録画中の番組の予約情報を生成し、予約情報記憶部１０９に記憶させる。なお、番組の途中から録画する場合、再放送時録画マークと録画開始時刻および録画終了時刻を付加して、予約情報記憶部１０９に記憶させる。また、マニュアル録画終了後に、何らかの理由で番組の全部または一部を録画することができなかったという旨の情報を映像記憶部１１２から入力した場合も、第１録画制御部１０８は、再放送時録画マークを付加して、予約情報記憶部１０９に記憶させる。それに対して、番組の最初から最後までを録画することができた場合、番組の放映開始時刻と録画開始時刻、また、番組の放映終了時刻と録画終了時刻は一致するので、予約情報には、再放送時録画マークや、録画開始時刻および録画終了時刻は付加されない。
【００５５】
次に、図２および図３の予約番号２の番組や、上述したユーザがマニュアル制御して録画するさいに全部または一部が録画されなかった番組、あるいは図３の予約番組３のように、録画予約したが全部または一部が録画されなかった番組が再放送されるさいに、それらを録画するさいの録画予約動作を説明する。
【００５６】
ＥＰＧ１０５は、入力部１０３より入力された番組情報を、番組情報記憶部１０４に出力するとともに、再放送判定部１１０にも出力する。再放送判定部１１０は、予約情報記憶部１０９に記憶されている再放送時録画マーク付予約情報の中で、送られてきた番組情報と同じ番組を表しているものがあるかどうかを調べる。
【００５７】
そして、再放送判定部１１０は、入力された番組情報と同じ番組を表している予約情報を見つけた場合、入力された番組情報は再放送の番組情報であると判定し、その番組情報は再放送の番組であって、すでに録画予約をされていることと、対応する予約情報の予約番号を、ＥＰＧ１０５に報告する。なお、再放送の番組情報には元番組に関する情報が記載されているので、再放送判定部１１０は、その元番組に関する情報を利用することによって、入力された番組情報は再放送の番組情報であると判定することができる。
【００５８】
再放送判定部１１０が入力された番組情報と同じ番組の番組情報を検出した場合、ＥＰＧ１０５は、再放送判定部１１０からその旨の報告を受け、その番組情報を再放送の番組情報として、報告を受けた予約番号とともに、再放送予約管理部１０７に出力する。
【００５９】
再放送予約管理部１０７は、入力された予約番号の予約情報を予約情報記憶部１０９から取り出し、入力された再放送の番組情報を用いて更新して、再び、予約情報記憶部１０９に記憶させる。ここで行なわれる更新とは、前回放送時のチャンネル、放送時間などを再放送時のものに更新するということである。
【００６０】
この時、取り出された予約情報に、実際に録画された部分の情報が付加されている場合は、再放送予約管理部１０７は、未録画部分の予約情報を新たに作成し、予約情報記憶部１０９に記憶させる。
【００６１】
図４に、このようにして予約情報記憶部１０９に記憶される予約情報の一例を示す。予約情報は、予約番号、日付、チャンネル、番組名、録画開始時刻、録画終了時刻、再放送時録画マークなどで構成される。また、予約情報には、関連番組の情報も含まれ、予約情報が表す番組と関連する予約情報を指し示している。例えば、本放送で録画できなかった部分の再放送時の予約情報の番号などである。
【００６２】
図４において、予約番号３の予約情報は再放送時録画マークと、実際に録画された部分の情報が付加されている予約情報を示しており、予約番号１１の予約情報は予約番号３の予約情報が表す番組の未録画部分の予約情報を示している。
【００６３】
図４に示すように、予約番号３の表す番組は番組開始から３０分までを録画されている。これを受けて、予約番号１１の番組の実際の放映開始時刻は１６：００であるが、予約番号１１の録画開始時刻は番組開始から３０分たったところ、つまり１６：３０に設定され、録画終了時刻は番組の最後に設定されいる。
【００６４】
また、予約番号３の予約情報の関連番号には１１が記述され、録画時間などから予約番号１１に番組の未録画部分の予約情報が記憶されていることを示している。逆に、予約番号１１の予約情報の関連番号には３が記述され、録画時間などから、予約番号１１の予約情報が予約情報３の未録画部の予約情報であることを示している。
【００６５】
次に、再放送時の録画動作を説明する。
【００６６】
第１録画制御部１０８は、現在時刻以降で現在時刻に最も近い予約情報を予約情報記憶部１０９から取り出す。取り出した予約情報が、本放送時未録画部分の予約情報である場合、第１録画制御部１０８は、その予約情報に関連している予約情報も取り出し、第２録画制御部１１１に出力する。つまり、第１録画制御部１０８は、図４に示す予約番号１１の予約番号を取り出す場合、予約番号３の予約情報も取り出す。
【００６７】
そして、第２録画制御部１１１は、予約番号３と１１の予約情報を入力し、予約番号３の番組の映像が映像記憶部１１２の記録媒体のどこに記憶されているのかを検出し、管理する。
【００６８】
図５に、第２録画制御部１１１が管理する記憶情報および予約情報の例を示す。記憶情報および予約情報は、日付、チャンネル、番組名、録画開始時刻、録画終了時刻、録画位置、予約番号などで構成される。録画位置とは、映像記憶部１１２の記録媒体に番組が実際に記憶されている物理的な位置のことである。図５には予約番号３によって録画された映像の記憶情報と、その予約番号３と関連する予約番号１１の予約情報を示す。
【００６９】
そして、第２録画制御部１１１は、管理している記憶情報と予約情報より、映像記憶部１１２を制御し、予約番号３によって録画されている映像の後に、予約番号１１に予約されている番組の未録画部分を継ぎ足して記録媒体に録画する。
【００７０】
図６に、第２録画制御部１１１によって、未録画部分を録画して番組が完成した場合の一例を示す。
【００７１】
図６の（１）は、本放送時に録画動作を行った後の状態を示し、斜線部分が録画された部分である。図６の（２）は、再放送時に第２録画制御部１１１によって、未録画部分が継ぎ足されて番組が完成した状態を示す。網目部分が継ぎ足された未録画部分である。
【００７２】
ここまでは、既に一部が録画された番組が再放送されるときに、その番組の未録画部分を録画するさいの動作を示した。それに対して、図２および図３の予約番号２の番組が再放送されるときや、第１録画制御部１０８の制御かユーザの制御かを問わず、いずれであっても本放送時に全部が録画されなかった番組が再放送されるときの、その番組を録画するさいの動作も、上述した未録画部分を録画するさいの動作と同様である。
【００７３】
すなわち、第１録画制御部１０８が、予約情報記憶部１０９から再放送時録画マークだけが付加されている予約情報を取り出した場合、いいかえると、図２および図３の予約番号２の番組、さらにいうと既に放送された番組や、本放送時に全部が録画されなかった番組の予約情報が第１録画制御部１０８に取り出された場合、第２録画制御部１１１は、第１録画制御部１０８に取り出された予約情報にしたがって、再放送時に番組の全部が映像記憶部１１２の記録媒体に録画されるように制御する。
【００７４】
そして、第１録画制御部１０８は、録画が終了すると、映像記憶部１１２に録画状況を調べさせ、録画が正常終了している場合は、予約情報の再放送時録画マークを削除して、録画状況に録画済みのマークを付ける。それに対して、録画にエラーがあった場合は、上述した本放送時における録画でエラーがあった場合と同様にして、「エラー」マークを付ける。
【００７５】
なお、上述した実施の形態１では、本発明に関連する発明の、第１録画制御部として第１録画制御部１０８、未録画情報記憶部として予約情報記憶部１０９、第２録画制御部として第２録画制御部１１１を用いた。また、本発明に関連する発明の、未録画情報記憶部として予約情報記憶部１０９、録画制御部として第２録画制御部１１１を用いた。さらに、第１の本発明の録画制御部として第２録画制御部１１１を用いた。
【００７６】
また、上述した実施の形態１では、予約情報記憶部１０９は、図３または図４に示すように、録画状況がエラーというものである場合、録画されている部分の情報を記憶するとしたが、予約情報記憶部１０９は、録画状況がエラーというものである場合、その録画時にエラーが生じた番組の名前を記憶するとしてもよい。
【００７７】
また、上述した実施の形態１では、録画時にエラーが生じた番組が再放送されるとき、第２録画制御部１１１は、既に録画されている部分については、録画せず、未録画部分についてのみ録画されるように制御して、既録画部分に再放送時の録画部分を継ぎ足すとしたが、第２録画制御部１１１は、録画時にエラーが生じた番組が再放送されるとき、その番組の最初から最後までの全部が録画されるように制御するとしてもよい。
【００７８】
また、上述した第１録画制御部１０８は、ユーザから指示があれば、予約情報記憶部１０９に記憶されている予約状況を、表示制御部１０６を用いてモニタなどに表示させるものとする。その予約状況は、ジャンル毎、日付毎などの一部分の予約状況であってもよい。
【００７９】
また、上述した表示制御部１０６は、番組情報を表示する際に、表示色を変えるなどして、すでに録画予約されている番組を、一目で分かるように表示することも可能である。
【００８０】
また、上述した第１録画制御部１０８は、再放送の録画予約動作のさいに、予約情報記憶部１０９に予約情報を記憶させるとともに、番組の再放送があること、その録画予約を行ったことなどを、表示制御部１０６を用いてモニタ等に表示してユーザに知らせるとしてもよい。
【００８１】
また、上述した第１録画制御部１０８は、再放送時の録画が完了した時点で、再放送の録画が行えたことを表示制御部１０６を用いてモニタに表示させるとしてもよい。
【００８２】
また、上述した入力部１０３が入力する番組情報は、ＴＶ放送局から一日数回送信されてくることもあり、スポーツ中継の延長によって放送時間が変更された場合は、その情報も含まれるものとする。このように放送時間に変更が生じた場合、ＥＰＧ１０５は、入力部１０３からの番組情報に基づいて、番組情報記憶部１０４の番組情報の変更を行い、第１録画制御部１０８に放送時間の変更があったことを伝える。その場合、第１録画制御部１０８は、放送時間が変更された番組の予約情報が予約情報記憶部１０９に記憶されているかどうかを調べ、記憶されている場合は、予約情報記憶部１０９に記憶されている予約情報の録画開始時刻、終了時刻の変更を行う。このように、入力部１０３が番組情報を一日に数回入力することにより、番組の放送時間の変更に対応することができる。
【００８３】
さらに、上述した実施の形態１では、入力部１０３は、放送局１０１からのテレビ信号の垂直帰線消去期間を利用して送信されてくる番組情報を入力するとしたが、入力部１０３は、ＦＭ多重放送や公衆回線網を利用して送信されてくる番組情報を入力するとしてもよい。また、入力部１０３は、数週間単位の番組情報を記憶したフロッピィディスク、メモリカード、ＣＤ−ＲＯＭ等の記憶媒体からの番組情報を入力するとしてもよいし、ページャ基地局から送信されてくる番組情報を入力するとしてもよい。
【００８４】
（実施の形態２）
本発明の実施の形態２の放送・受信システムの構成をその動作とともに述べる。
【００８５】
図７に、本発明の実施の形態２の放送・受信システムのブロック図を示す。図７に示すように、本発明の実施の形態２の放送・受信システムは、本発明の実施の形態１の放送・受信システムと同様に、放送局１０１と録画制御装置２１３から構成される。しかしながら、録画制御装置２１３は、本発明の実施の形態１の録画制御装置１１３とは異なる。その相違するところは、予約情報入力部２０２と実施の形態１の予約情報入力部１０２、ＥＰＧ２０５と実施の形態１のＥＰＧ１０５、第１録画制御部２０８と実施の形態１の第１録画制御部１０８、および、第２録画制御部２１１と実施の形態１の第２録画制御部１１１である。また、映像記憶部１１２の記録媒体が長時間録画可能な記録媒体であるというところも実施の形態１と相違するところである。したがって、実施の形態２では、映像記憶部１１２の記録媒体が長時間録画可能な記録媒体である場合の放送・受信システムの動作、すなわち、実施の形態１の放送・受信システムの対応する各部と動作の異なる予約情報入力部２０２、ＥＰＧ２０５、第１録画制御部２０８、第２録画制御部２１１の動作のみを述べる。
【００８６】
実施の形態１で説明したように、ＥＰＧ２０５は、入力部１０３からの番組情報を第１録画制御部２０８に出力する。そして、第１録画制御部２０８は、入力された番組情報を第２録画制御部２１１に出力する。
【００８７】
次に、第２録画制御部２１１は、入力された番組情報に基づいて、映像記憶部１１２を制御して、第１録画制御部２０８が制御して録画する番組以外の全ての番組の録画を行う。その第１録画制御部２０８が制御して録画する番組とは、上述した実施の形態１で、未放送番組のうちの録画予約された番組である。いずれにしても、全ての番組は、第１録画制御部２０８または第２録画制御部２１１の制御によって映像記憶部１１２の記録媒体に記録されることになる。さて、各番組の放映が終了すると、第２録画制御部２１１は録画状況を映像記憶部１１２に調べさせる。
【００８８】
そして、第２録画制御部２１１は、入力された番組情報を基に記憶情報を作成し、記録媒体に録画された番組の記憶情報に削除可能マークを付ける。削除可能マークとは、番組を記憶する際に、映像記憶部１１２の記録媒体に空き容量がない場合に、空き容量を作るために削除してもかまわない番組に対して付けられるマークであって、記録媒体に録画された全ての番組のうち、第２録画制御部２１１が制御して録画した番組の記憶情報に削除可能マークを付けるものとする。
【００８９】
図８に、このようにして第２録画制御部２１１によって作成された記憶情報の例を示す。記憶情報は、日付、チャンネル、番組名、録画開始時刻、録画終了時刻、録画位置、予約番号、削除マークなどで構成される。なお、録画位置とは、映像記憶部１１２の記録媒体の、番組が実際に記憶されている物理的な位置を表す。
【００９０】
ところで、ＥＰＧ２０５は、ユーザの指示により、番組情報記憶部１０４に記憶されている番組情報を表示制御部１０６を用いてモニタに表示する。この時、ＥＰＧ２０５は、第１録画制御部２０８を介して、第２録画制御部２１１にモニタに表示する番組情報の中で映像記憶部１１２の記録媒体にすでに記録されている番組を調べさせ、すでに記録されている番組の番組情報の表示を色を変えるなどして、ユーザに一目に分かるように表示する。
【００９１】
そして、第１録画制御部２０８は、ユーザが映像記憶部１１２の記録媒体に録画されていない番組を指定した場合、その番組の録画予約動作を行う。この場合の録画動作は、未放送番組の録画予約動作であって実施の形態１で説明した録画動作と同じであるので、説明を省略する。それに対して、ユーザがすでに映像記憶部１１２の記録媒体に録画されている番組に対して録画予約を行うと、ＥＰＧ２０５はその番組の予約情報を第１録画制御部２０８に出力する。つまり、予約情報入力部２０２は、映像記憶部１１２の記録媒体に既に録画されている番組のうちその記録媒体に残す番組の指示を、ユーザから入力し、その指示に基づいて、第１録画制御部２０８は、残す番組の指示の情報の録画状況を録画済みにして、予約情報記憶部１０９に記憶させ、録画予約が行なわれたことを第２録画制御部２１１に報告する。そして、第２録画制御部２１１は、指示された番組の記憶情報の削除可能マークを削除するとともに、予約情報記憶部１０９に記憶されている予約情報の予約番号を記述する。ところで何故削除マークを削除し、残す番組を指示するのかというと、上述したように、映像記憶部１１２の記録媒体には全ての番組が録画されることになるが、その記録媒体の容量には限りがあるので、指示された番組は最低限格納されたままにしておき、その他の番組については削除または上書きを許すものとして、その削除または上書きを許すとした部分を利用して、全ての番組が録画されるようにするためである。
【００９２】
なお、上述した実施の形態２では、本発明に関連する発明の録画制御部として第１録画制御部２０８と第２録画制御部２１１を用いた。このように実施の形態２では、第１録画制御部２０８と第２録画制御部２１１とのいずれかが録画を制御して、全ての番組が映像記憶部１１２の記録媒体に録画されるとしたが、上述した例に限らず、一つの録画制御部が、全ての番組を映像記憶部１１２の記録媒体に録画するように制御するとしてもよい。
【００９３】
また、上述した実施の形態２では、本発明に関連する発明の残番組指示入力部として予約情報入力部２０２を用いた。
【００９４】
また、上述した実施の形態２では、予約情報入力部２０２は、番組が録画された後に、ユーザから記録媒体に残す番組の指示を入力するとしたが、残す番組の指示は、記録媒体に番組が録画される前であっても後であってもかまわないし、番組そのものの指示ではなく、例えば映画やスポーツといったジャンルの指示であってもよい。
【００９５】
さらに、上述した実施の形態２の録画制御装置２１３に、記録媒体の残りの録画可能容量を検出し、その残りの録画可能容量があらかじめ設定した容量より小さくなった場合に警告を発する警告発行部を備えさせてもよい。このように、警告発行部から警告が発せられると、ユーザは、記録媒体に残すべき番組を、削除または上書きされる前に、その記録媒体に残すように指示することができるようになる。
【００９６】
（実施の形態３）
本発明の実施の形態３の放送・受信システムの構成をその動作とともに述べる。
【００９７】
図９に、本発明の実施の形態３の放送・受信システムのブロック図を示す。図９に示すように、本発明の実施の形態３の放送・受信システムは、本発明の実施の形態１の放送・受信システムと同様に、放送局３０１と録画制御装置３１３から構成される。しかしながら、録画制御装置３１３は、本発明の実施の形態１の録画制御装置１１３とは異なり、その録画制御装置１１３が備えていた各構成部に加えてリクエスト送信部３０９を備えている。また、録画制御装置３１３が備える第１録画制御部３０８は、実施の形態１の録画制御装置１１３が備える第１録画制御部１０８とは異なる。したがって、実施の形態３では、本発明の実施の形態１の放送・受信システムとは異なる、放送局３０１、第１録画制御部３０８およびリクエスト送信部３０９の動作についてのみ述べる。
【００９８】
第１録画制御部３０８は、予約情報記憶部１０９に再放送時録画マークが付加された予約情報があるかどうかを調べ、再放送時録画マークが付加された予約情報がある場合、その予約情報に対応する番組が再放送されるようにリクエストするための再放送リクエスト情報を作成する。
【００９９】
図１０に、第１録画制御部３０８が作成する再放送リクエスト情報の一例を示す。再放送リクエスト情報は、本放送された番組の、日付、チャンネル、番組名、放送時間などで構成される。
【０１００】
その後、リクエスト送信部３０９は、第１録画制御部３０８によって作成された再放送リクエスト情報を、公衆電話回線網などを利用して放送局３０１に送信する。つまり、リクエスト送信部３０９は、それまでに全部または一部が録画されなかった番組、または既に一度放送された番組であって、予約情報記憶部１０９に再放送時録画マークが付加されている番組が再放送されるように、その番組の再放送リクエストを放送局３０１に送信する。
【０１０１】
他方、放送局３０１は、送られてきたリクエスト情報を集計し、リクエスト数の多いものの中から再放送する番組を決定する。ところで、人気番組は再放送リクエストが断続的に多数送られてくることが考えられるため、あらかじめ定められた同一期間毎に集計を行うと、常にその人気番組の再放送リクエストがリクエストの上位に位置することになる。そのため、所定の期間に所定の数を超えた再放送リクエスト番組については、放送局３０１は、今後もリクエストが断続的に多数送られてくるものと想定し、その番組のリクエスト集計期間を、他の番組のリクエスト集計期間より長めに設定して対応する。
【０１０２】
以下に、所定の集計期間内に送信された再放送リクエストがあった番組のうちいずれの番組を再放送するのかを決定するまでの放送局３０１の動作を述べる。
【０１０３】
放送局３０１は、再放送する番組用の放送スロットを有しているものとする。また、所定の集計期間内に送信された再放送リクエストがあった番組のうち上位３番組を、順に番組Ａ、番組Ｂ、番組Ｃであるとする。
【０１０４】
図１１に、再放送する番組用の放送スロットとリクエストの多い番組の例を表す。図１１の斜線部は再放送する番組用の放送スロット、番組Ａ、番組Ｂ、番組Ｃはそれぞれ上述した番組であるとし、横方向は時間、つまり長方形の横方向の長さが番組の長さを表しているものとする。
【０１０５】
さてこのとき、放送局３０１は、図１１に示すように、リクエストは番組Ａが一番多かったが、再放送する番組用の放送スロットの利用時間数では番組Ａを全部放送することができないと判断し、スロットの利用時間数に一番無駄なくおさまる番組Ｃを再放送するように決定する。その決定された後の放送スロットを図１２に示す。
【０１０６】
そして、放送局３０１は、再放送する番組の番組情報を作成し、ＦＭ文字多重放送の、再放送する番組以外の番組の番組情報を伝送するチャンネルとは別のチャンネルを利用して、再放送する番組の番組情報を送信する。
【０１０７】
この時、放送局３０１より送信される再放送番組の番組情報には元番組を識別する符号と、元番組を特定できる情報とが付加されており、過去に放送された番組を特定できるようになっている。なお、元番組を識別する符号とは、例えば前回放送したときの日時等の、番組情報が再放送番組の番組情報であるということを識別する符号であり、元番組を特定できる情報とは、再放送番組の番組情報を意味する。そして、録画制御装置の再放送判定部１１０は、元番組を識別する符号と、元番組を特定できる情報とを利用して、再放送される番組が過去に放送された番組のうちのいずれであるのかを特定する。
【０１０８】
なお、上述した実施の形態３では、放送局３０１が再放送する番組を決定するさいの一例を説明したが、上述した例に限らず、要するに放送局３０１は、録画制御装置３１３のリクエスト送信部３０９からの再放送リクエストを利用して、再放送する番組を決定しさえすればよい。そのさい、上述した例とは異なる方法で、再放送番組を放送するために割り当てられているスロットの利用時間数と、再放送リクエストの到達状況とに基づいて、再放送する番組が決定されるとしてもよい。
【０１０９】
また、上述した実施の形態３では、放送局３０１は、ＦＭ文字多重放送の、再放送する番組以外の番組の番組情報を伝送するチャンネルとは別のチャンネルを利用して、再放送する番組の番組情報を送信するとしたが、テレビ信号の垂直帰線消去区間、衛星放送の、再放送する番組以外の番組の番組情報を伝送するチャンネルとは別のチャンネルを利用して送信するとしてもよい。
【０１１０】
また、上述した放送局３０１は、再放送する番組の番組情報をＦＭ文字多重放送、衛星放送を利用して、または公衆電話回線網を利用して、再放送リクエストを送った録画制御装置を指定して送信するとしてもよい。そのためには、再放送リクエストを送る録画制御装置は、その録画制御装置の識別子を付加して再放送リクエストを放送局３０１に送信する必要があり、放送局３０１は、識別子を検出することによって再放送リクエストを送った録画制御装置を特定することになる。なお、放送局３０１は、再放送する番組の番組情報を、再放送リクエストを送った録画制御装置を指定してその録画制御装置に送信する場合、電子メールを利用してもよい。
【０１１１】
また、以上述べた実施の形態１から３における映像記憶部１１２の記録媒体は、ＶＴＲやＡＶＨＤＤが該当する。
【０１１２】
また、上述した実施の形態１から３の映像記憶部１１２は、番組のジャンルに応じて音声、映像の圧縮率を変えて番組を記録媒体に記憶することができものとする。
【０１１３】
また、上述した実施の形態１から３では、録画制御装置の各構成部および放送局は、ハードウェアであるとして述べてきたが、録画制御装置の各構成部および放送局の全部または一部を、上述のハードウェアの該当する機能と同じ機能を有するソフトウェアに置き換えることも可能である。
【０１１４】
さらに、第１０の本発明は、第１、第２、第８のいずれかの録画制御装置の各構成部の全部または一部の各機能を実現するためのプログラムを格納したことを特徴とする媒体である。また、第１１の本発明は、第３から第７のいずれかの放送局の全部または一部の各機能を実現するためのプログラムを格納したことを特徴とする媒体である。
【０１１５】
【発明の効果】
以上の説明から明らかなように、本発明は、録画を失敗した番組であっても、その番組が再放送されるさいに、あらためてユーザからの録画予約指示を入力することなく、その番組が録画されるように制御する録画制御装置を提供することができる。
【０１１６】
また、本発明は、録画予約されていない番組であっても録画されるように制御する録画制御装置を提供することができる。
【０１１７】
また、本発明は、再放送される番組の元番組が自動的に判別されるための情報を送信する放送局と、その情報を利用して再放送される番組の元番組を自動的に判別する録画制御装置とを提供することができる。
【０１１８】
さらに、本発明は、ユーザのニーズを参考にして放送する番組を決定する放送局を提供することができる。
【図面の簡単な説明】
【図１】本発明の実施の形態１の放送・受信システムの構成を示すブロック図
【図２】本発明の実施の形態１の放送・受信システムの録画制御装置の予約情報記憶部が記憶する予約情報の一例
【図３】図２とは別の、本発明の実施の形態１の放送・受信システムの録画制御装置の予約情報記憶部が記憶する予約情報の一例
【図４】図２または３とは別の、本発明の実施の形態１の放送・受信システムの予約情報記憶部が記憶する予約情報の一例
【図５】本発明の実施の形態１の放送・受信システムの第２録画制御部が管理する記憶情報および予約情報の一例
【図６】本発明の実施の形態１の放送・受信システムの第２録画制御部の未録画部分の録画動作を説明する図
【図７】本発明の実施の形態２の放送・受信システムの構成を示すブロック図
【図８】本発明の実施の形態２の放送・受信システムの第２録画制御部によって作成された記憶情報の一例
【図９】本発明の実施の形態３の放送・受信システムの構成を示すブロック図
【図１０】本発明の実施の形態３の放送・受信システムの録画制御装置のリクエスト送信部が送信するリクエスト情報の一例
【図１１】本発明の実施の形態３の放送・受信システムの放送局が再放送する番組を決定する動作を説明する図
【図１２】本発明の実施の形態３の放送・受信システムの放送局が再放送する番組を決定した後の一例を示す図
【図１３】従来の放送・受信システムのブロック図
【図１４】従来の放送・受信システムの録画制御装置の予約情報記憶部に記憶される予約情報の一例
【符号の簡単な説明】
１０１、３０１  放送局
１０２、２０２  予約情報入力部
１０３  入力部
１０４  番組情報記憶部
１０５、２０５  ＥＰＧ
１０６  表示制御部
１０７  再放送予約管理部
１０８、２０８、３０８  第１録画制御部
１０９  予約情報記憶部
１１０  再放送判定部
１１１、２１１  第２録画制御部
１１２  映像記憶部
１１３、２１３、３１３  録画制御装置
３０９  リクエスト送信部
１３０１  放送局
１３０２  予約情報入力部
１３０３  入力部
１３０４  番組情報記憶部
１３０５  ＥＰＧ
１３０６  表示制御部
１３０７  予約情報管理部
１３０８  予約情報記憶部
１３０９  映像記憶部
【図１】
0003595687.tif 000002
【図２】
0003595687.tif 000003
【図３】
0003595687.tif 000004
【図４】
0003595687.tif 000005
【図５】
0003595687.tif 000006
【図６】
0003595687.tif 000007
【図７】
0003595687.tif 000008
【図８】
0003595687.tif 000009
【図９】
0003595687.tif 000010
【図１０】
0003595687.tif 000011
【図１１】
0003595687.tif 000012
【図１２】
0003595687.tif 000013
【図１３】
0003595687.tif 000014
【図１４】
0003595687.tif 000015